(57)【要約】  【課題】装着者の鼻元とマスク本体との密着性を確保した立体型マスクを提供する。  【解決手段】通気性素材によりそれぞれ形成した表面側部材15と裏面側部材との間に凸型部材を挟持してマスク本体12を表面側に突出するように形成することで、マスク本体12の立体形状の型崩れを防止できる。立体型マスク11の着用時には、マスク本体12の縦方向上端部に折り畳んで横方向両側を接合した第１折り込み片22と第２折り込み片24とを第１折り目部21と第２折り目部23とからそれぞれ拡げて装着者25の鼻元に密着させることで、装着者25の鼻元とマスク本体12との密着性を確保できる。  【選択図】図１
2006314642.tif 000002
【特許請求の範囲】
【請求項１】
通気性素材により形成された表面側部材、通気性素材により形成された裏面側部材、および、これら表面側部材と裏面側部材との間に挟持された凸型部材を備え、表面側に突出するように形成された四角形状のマスク本体と、
このマスク本体の横方向両側に設けられ装着者の耳に係合される耳掛け部とを具備し、
前記マスク本体は、
縦方向上端部から延設され第１折り目部を介して下方に折り畳まれる第１折り込み片と、
この第１折り込み片の先端部から延設され第２折り目部を介して前記第１折り込み片に対して上方に折り畳まれる第２折り込み片とが形成され、
前記マスク本体に対して装着者側に前記第１折り込み片と前記第２折り込み片とが順次位置するようにこれら前記第１折り込み片および前記第２折り込み片が折り畳まれた状態で前記マスク本体の横方向両側が接合されている
ことを特徴とした立体型マスク。
【請求項２】
第１折り込み片と第２折り込み片とのそれぞれの縦方向寸法を加えた寸法は、前記第１折り込み片および前記第２折り込み片を折り畳んだ状態でのマスク本体の縦方向寸法の４０％〜５０％である
ことを特徴とした請求項１記載の立体型マスク。
【請求項３】
凸型部材は、不織布を加圧成形して形成されている
ことを特徴とした請求項１または２記載の立体型マスク。
【請求項４】
凸型部材は、通気性を有する紙を立体成形して形成されている
ことを特徴とした請求項１または２記載の立体型マスク。
【請求項５】
凸型部材は、マスク本体に対して着脱可能である
ことを特徴とした請求項１ないし４いずれか一記載の立体型マスク。
【発明の詳細な説明】
【技術分野】
【０００１】
本発明は、表側に突出するように形成されたマスク本体を備え装着者の鼻孔および唇を覆う立体型マスクに関する。
【背景技術】
【０００２】
従来、マスクは、その形状から大別して、平板型マスクと立体型マスクとに分類される。
【０００３】
一般的な平板型マスクは、適宜の大きさのガーゼを適宜回数で折り重ねた後、このガーゼの外周部を縫着するとともに、このガーゼの左右両側部に適宜の耳掛け用の紐を取り付けて形成されている。
【０００４】
しかしながら、このような平板型マスクでは、装着者側、すなわち内側に位置したガーゼが装着者の鼻孔と唇とに接触し、口紅が付着したり息苦しさを感じたりするおそれがあるという問題がある。
【０００５】
これに対して、立体型マスクは、着用時に装着者の唇、あるいは鼻孔に対して内側面との間に空間が形成されているため、マスク内側面に装着者の唇、あるいは鼻孔が接触することがなく、口紅が付着したり、息苦しさを感じたりすることがない。
【０００６】
この結果、一般的に、平板型マスクと比較して立体型マスクの方が、装着感が良好といえる。
【０００７】
そして、立体型マスクにおいても、着用前には平板型のものである場合と、着用前から既に立体型のものである場合とがある。
【０００８】
着用前に平板型のものは、例えば図７に示すように、例えば不織布などで四角形状に形成されたマスク本体１を備え、このマスク本体１を複数箇所で折り重ねて複数の折り目２を左右両側方向に沿って形成して両側部を固着し、この両側部に耳掛け用の紐３，３を接合している。
【０００９】
そして、このようなマスク本体１の装着に際しては、図８に示すように、マスク本体１の上下端部を引き延ばすことで折り重ねられた各折り目２からそれぞれ折り込み片が上下に広がり、装着者５と反対側に凸形状となる立体型マスクが形成される。
【００１０】
しかしながら、この図７および図８に示す立体型マスクでは、装着者５の鼻孔5aおよび唇5b付近に空間部が得られ、鼻元への密着性は一応得られるものの、マスク本体１の形状が安定せず、長時間密着性を維持することが容易でない。
【００１１】
これに対して、着用前から既に立体型のものは、その形状を比較的強固に維持できるため、型崩れが起こりにくく、比較的長時間使用できる。
【００１２】
そして、このような立体型マスクとしては、ガーゼなどの通気性素材により形成された表面側部材と裏面側部材との間に、通気性を有する適宜の合成樹脂繊維を主原料とする柔軟な不織布で形成され所定の略球面状に加圧成形された凸型部材としての芯材を配設する構成が知られている。この立体型マスクでは、加圧成形競れた不織布がある程度の強度をもって略球面形状を維持するため、着用前から立体形状を有している（例えば、特許文献１参照。）。
【特許文献１】特開２００１−３７８９４号公報（第２−３頁、図２−１０）
【発明の開示】
【発明が解決しようとする課題】
【００１３】
しかしながら、上述のような立体型マスクでは、装着者の唇、あるいは鼻孔に対して内側面との間に空間が形成されているため、マスク本体が唇、あるいは鼻孔に接触することがなく、口紅の付着、あるいは息苦しさなどの問題を解消できるものの、鼻元へのマスク本体の密着性が充分でなく、鼻元付近からの花粉などの侵入の防止効果、あるいは装着者が眼鏡をしている場合の眼鏡の曇りの防止効果などが充分とはいえないという問題点を有している。
【００１４】
また、上述の立体型マスクでは、芯材の成形時に、この芯材の装着者の鼻両側と接触する部分に鼻の隆起形状と略密着するような凹凸を形成する構成も記載されているが、このような凹凸形状は装着者によって個人差があるため、装着者によっては鼻元付近の密着性を充分に確保することが容易でないので、鼻元付近からの花粉などの侵入の防止効果、あるいは装着者が眼鏡をしている場合の眼鏡の曇りの防止効果などが充分とはいえない。
【００１５】
本発明は、このような点に鑑みなされたもので、装着者の鼻元とマスク本体との密着性を確保した立体型マスクを提供することを目的とする。
【課題を解決するための手段】
【００１６】
請求項１記載の立体型マスクは、通気性素材により形成された表面側部材、通気性素材により形成された裏面側部材、および、これら表面側部材と裏面側部材との間に挟持された凸型部材を備え、表面側に突出するように形成された四角形状のマスク本体と、このマスク本体の横方向両側に設けられ装着者の耳に係合される耳掛け部とを具備し、前記マスク本体は、縦方向上端部から延設され第１折り目部を介して下方に折り畳まれる第１折り込み片と、この第１折り込み片の先端部から延設され第２折り目部を介して前記第１折り込み片に対して上方に折り畳まれる第２折り込み片とが形成され、前記マスク本体に対して装着者側に前記第１折り込み片と前記第２折り込み片とが順次位置するようにこれら前記第１折り込み片および前記第２折り込み片が折り畳まれた状態で前記マスク本体の横方向両側が接合されているものである。
【００１７】
そして、通気性素材によりそれぞれ形成された表面側部材と裏面側部材との間に凸型部材を挟持してマスク本体を表面側に突出するように形成することで、マスク本体の立体形状の型崩れを防止するとともに、着用時には、マスク本体の縦方向上端部に折り畳まれて横方向両側が接合されている第１折り込み片と第２折り込み片とを第１折り目部と第２折り目部とからそれぞれ拡げて装着者の鼻元に密着させることで、装着者の鼻元とマスク本体との密着性を確保する。
【００１８】
請求項２記載の立体型マスクは、請求項１記載の立体型マスクにおいて、第１折り込み片と第２折り込み片とのそれぞれの縦方向寸法を加えた寸法は、前記第１折り込み片および前記第２折り込み片を折り畳んだ状態でのマスク本体の縦方向寸法の４０％〜５０％であるものである。
【００１９】
そして、第１折り込み片と第２折り込み片とのそれぞれの縦方向寸法を加えた寸法を、これら各折り込み片を折り畳んだ状態でのマスク本体の縦方向寸法の４０％〜５０％とすることで、マスク本体の縦方向上端部を装着者の鼻元まで確実に届かせるとともに、このマスク本体の縦方向上端部が鼻元で過剰となることを防止して、鼻元への密着性をより向上する。
【００２０】
請求項３記載の立体型マスクは、請求項１または２記載の立体型マスクにおいて、凸型部材は、不織布を加圧成形して形成されているものである。
【００２１】
そして、不織布を加圧成形して凸型部材を形成することで、凸型部材を容易に製造可能として、生産性を向上する。
【００２２】
請求項４記載の立体型マスクは、請求項１または２記載の立体型マスクにおいて、凸型部材は、通気性を有する紙を立体成形して形成されているものである。
【００２３】
そして、通気性を有する紙を立体成形して凸型部材を形成することで、製造コストを抑制する。
【００２４】
請求項５記載の立体型マスクは、請求項１ないし４いずれか一記載の立体型マスクにおいて、凸型部材は、マスク本体に対して着脱可能であるものである。
【００２５】
そして、凸型部材をマスク本体に対して着脱可能とすることで、例えば非着用時にマスク本体と凸型部材とを別個に洗濯することなどが可能となり、使い勝手が向上する。
【発明の効果】
【００２６】
請求項１記載の発明によれば、通気性素材によりそれぞれ形成された表面側部材と裏面側部材との間に凸型部材を挟持してマスク本体を表面側に突出するように形成することで、マスク本体の立体形状の型崩れを防止できるとともに、着用時には、マスク本体の縦方向上端部に折り畳まれて横方向両側が接合されている第１折り込み片と第２折り込み片とを第１折り目部と第２折り目部とからそれぞれ拡げて装着者の鼻元に密着させることで、装着者の鼻元とマスク本体との密着性を確保できる。
【００２７】
請求項２記載の発明によれば、第１折り込み片と第２折り込み片とのそれぞれの縦方向寸法を加えた寸法を、これら各折り込み片を折り畳んだ状態でのマスク本体の縦方向寸法の４０％〜５０％とすることで、マスク本体の縦方向上端部を装着者の鼻元まで確実に届かせるとともに、このマスク本体の縦方向上端部が鼻元で過剰となることを防止して、鼻元への密着性をより向上できる。
【００２８】
請求項３記載の発明によれば、不織布を加圧成形して凸型部材を形成することで、凸型部材を容易に製造でき、生産性を向上できる。
【００２９】
請求項４記載の発明によれば、通気性を有する紙を立体成形して凸型部材を形成することで、製造コストを抑制できる。
【００３０】
請求項５記載の発明によれば、凸型部材をマスク本体に対して着脱可能とすることで、例えば非着用時にマスク本体と凸型部材とを別個に洗濯することなどが可能となり、使い勝手を向上できる。
【発明を実施するための最良の形態】
【００３１】
以下、本発明の一実施の形態の構成を図１ないし図６を参照して説明する。
【００３２】
図１ないし図６において、11は立体型マスクを示し、この立体型マスク11は、横方向両側および縦方向両端を有する横長四角形状のマスク本体12と、このマスク本体12の両側部に接合された耳掛け部としての耳掛け用紐13とを備えている。
【００３３】
そして、図６に示すように、マスク本体12は、横長四角形状に形成された表面側部材15および裏面側部材16を有し、これら表面側部材15と裏面側部材16との間に凸型部材17が挟持されることでマスク本体12が表側に突出した立体形状に形成され、着用前から立体型となっている。
【００３４】
さらに、このマスク本体12は、表面側部材15および裏面側部材16により、上端部から第１折り目部21を介して第１折り込み片22が延設されるとともに、この第１折り込み片22の先端部から第２折り目部23を介して第２折り込み片24が延設され、マスク本体12に対して内側すなわち図１に示す装着者25側に第１折り込み片22と第２折り込み片24とが順次位置するようにこれら折り込み片22，24が折り畳まれた状態で横方向両側が接合されている。この状態で、マスク本体12は、例えば横方向寸法が１２〜１８ｃｍ、縦方向寸法が７〜１０ｃｍ程度に形成されている。
【００３５】
表面側部材15および裏面側部材16は、図１ないし図５に示すように、例えば綿、不織布、あるいはナイロンなどによる通気性素材にて横長四角形状に形成され、両側部にて一体的に装着者25側へと折り返されて接合された側部接合部27，27が形成されているとともに、下端部にて一体的に装着者25側へと折り返されて接合された下部接合部28が形成されている。なお、これら接合部27，28は、例えば縫製、溶着、あるいは接着などにより接合されている。
【００３６】
さらに、これら表面側部材15および裏面側部材16には、図１ないし図６に示すように、凸型部材17の支持用の支持部29が下側寄りの位置に設けられている。この支持部29は、例えば凸型部材17の下部に沿う円弧状に形成され、表面側部材15および裏面側部材16に挟持された凸型部材17の下部両側に位置している。なお、この支持部29は、本実施の形態では縫製により形成された縫い目であるが、例えば接着、あるいはヒートシールなどのような接合方法で形成されていてもよい。
【００３７】
また、凸型部材17は、例えばポリプロピレンなどからなる合成樹脂繊維を主原料とする通気性不織布を複数層重ねて凸型カップ状の金型の枠内で加熱軟化した後に加圧成形することでカップ状に形成されており、マスク本体12の横方向および縦方向の中央部に支持されている。このため、立体型マスク11の着用時に、装着者25の鼻孔25aおよび唇25bとマスク本体12の装着者25側である裏面側部材16との間に空間部が形成される。なお、凸型部材17は、マスク本体12に対して着脱可能とすることが好ましい。
【００３８】
さらに、第１折り込み片22は、図２および図６に示すように、マスク本体12の上端部に形成された第１折り目部21を介して、凸型部材17の上端部と略一致する部分から図１に示す装着者25側に折り畳まれている。すなわち、第１折り目部21は山折りとなっている。この状態で、第１折り込み片22の下端部は、表面側部材15と裏面側部材16との間に挟持された凸型部材17の上端部と突出頂部との間に位置している。
【００３９】
また、第２折り込み片24は、図２、図３および図６に示すように、第１折り込み片22の先端部、すなわち折り畳み状態の下端部に形成された第２折り目部23を介して、第１折り込み片22に対して上方に折り畳まれている。この状態で、第２折り込み片24の上端部は、第１折り目部21よりも上方に位置している。さらに、この第２折り込み片24の上端部には、図１ないし図５に示すように、表面側部材15と裏面側部材16とを一体的に装着者25側に折り返して接合した上部接合部31が形成されている。
【００４０】
そして、上記各折り込み片22，24は、マスク本体12の両側で側部接合部27にて接合されている。このため、立体型マスク11の着用時には、これら折り込み片22，24をマスク本体12から上方に引くことで、図１および図５に示すように、各折り込み片22，24の横方向の中央部がマスク本体12の第１折り目部21に対して上方向に所定の角度に引き延ばされて広がり部32が形成される。
【００４１】
なお、図６に示すように、この広がり部32の横方向中央部の縦方向寸法L1、すなわち各折り込み片22，24の縦方向寸法を加えた寸法は、各折り込み片22，24の折り畳み状態、すなわち着用前のマスク本体12の縦方向寸法L2に対して、４０％〜５０％となるように形成されている。したがって、平均的なマスク本体12の縦方向寸法約９．５ｃｍに対して、広がり部32の縦方向寸法L1を４０％とすると、この縦方向寸法L1は約３．８ｃｍとなり、各折り込み片22，24を広げた際のマスク本体12の縦方向寸法L3が、人間工学上の平均的な人間の目元から顎までのサイズである１２ｃｍと略一致するようになっている。
【００４２】
また、各耳掛け用紐13は、図１に示すように、装着者25の一対の耳25c（一方のみ図示）にそれぞれ係合させるものであり、伸縮性を有する弾性体であれば、例えばゴム紐などの紐状物、あるいは不織布などの帯状物など、任意のものを選択できる。
【００４３】
次に、上記一実施の形態の作用を説明する。
【００４４】
立体型マスク11の着用に際して、装着者25は、各耳掛け用紐13を耳25cにそれぞれ係合させ、マスク本体12を唇25bの前側付近に位置させた状態で、第２折り込み片24の上端部を鼻元へと引き上げ、第１折り込み片22と第２折り込み片24とを引き延ばして広がり部32を形成する。
【００４５】
このとき、各折り込み片22，24の横方向両端部が側部接合部27にて接合されているため、図５に示すように、各折り込み片22，24は、両側部を除く部分が引き延ばされ、横方向中央部が最も長く引き延ばされ、この中央部から両側部へと漸次引き延ばし量が減少するように形成されるので、図１に示すように、装着者25は広がり部32の横方向中央部を鼻元に当てるようにして鼻元に密着させる。
【００４６】
この状態で、凸型部材17によりマスク本体12の中央部が表面側に突出した立体形状が比較的強固に維持されて型崩れが防止され、比較的長時間安心して着用でき、かつ、装着者25の鼻孔25aおよび唇25bにマスク本体12の内面すなわち裏面側部材16が接触することがないため、装着者25が息苦しさを感じたり、女性が装着した際などに口紅がマスク本体12に付着したりすることがない。
【００４７】
また、このように凸型部材17により立体形状が維持されていることで、着用時に広がり部32を形成すると、この広がり部32のマスク本体12の上方に延びる角度が装着者25の鼻元の角度と略一致するので、広がり部32が自然に装着者25の鼻元に接し、従来の平面型マスクの折り目部を広げて顔面に密着させる場合と比較して、装着者25の鼻元とマスク本体12との密着性が良好となり、例えば花粉などの侵入防止効果が向上するとともに、装着者25が眼鏡を装着している場合などには、この眼鏡の曇り防止効果もあり、違和感なく立体型マスク11を着用できる。
【００４８】
さらに、広がり部32の横方向中央部の縦方向寸法L1を、各折り込み片22，24を折り畳んだ状態でのマスク本体12の縦方向寸法L2の４０％〜５０％とすることで、例えば縦方向寸法L1を４０％未満とした場合のように、マスク本体12の縦方向上端部が装着者25の鼻元まで届かず密着性が悪化して立体型マスク11の着用時の安心感が低下したり、あるいは縦方向寸法L1を５０％よりも大きくした場合のように、広がり部32が鼻元で過剰となって横方向中央部の上端が鼻元で皺となって重なり密着性が悪化して立体型マスク11の着用時に違和感が生じたりすることを防止して、鼻元への密着性および装着感をより向上できる。
【００４９】
すなわち、小鼻の先端程度までしかカバーできなかった従来の立体型マスクと異なり、各折り込み片22，24を設けることで小鼻全体を広がり部32にて覆い、装着者25の鼻元とマスク本体12との密着性を確保できる。
【００５０】
また、装着者25の鼻の隆起形状の凹凸は個人差があるものの、上記一実施の形態のように各折り込み片22，24を適宜引き延ばして広がり部32を形成することで、装着者25が自身の鼻の形状に応じて広がり部32を形成できるので、装着者25を選ぶことなくマスク本体12と鼻元との密着性を確保できる。
【００５１】
さらに、予め凸型部材17の形状を装着者25の鼻の隆起形状に応じて形成する従来の場合と比較して、凸型部材17自体に細かい加工を施す必要がないので、立体型マスク11の製造性を向上できる。
【００５２】
そして、凸型部材17をマスク本体12に対して着脱可能とすることで、例えば立体型マスク11の非着用時にマスク本体12と凸型部材17とを別個に洗濯することなどが可能となり、凸型部材17の状態を確認しながら再使用でき、立体型マスク11の使い勝手を向上できるとともに、凸型部材17自体、あるいはこの凸型部材17とは別の部材などに、例えば香料を含ませてマスク本体12に挿入でき、立体型マスク11の装着感をより向上できる。
【００５３】
また、不織布を加圧成形して凸型部材17を形成することで、凸型部材17を容易に製造でき、生産性を向上できる。
【００５４】
なお、上記一実施の形態において、凸型部材17は、１、２回洗濯しても型崩れしない素材、例えば通気性およびある程度の強度を有する和紙などの紙を適宜の大きさとし、一部を切断してその一部を重ねて接着することで円錐を形成するように立体成形してカップ状とすることも可能である。例えば紙により凸型部材17を立体成形した場合には、凸型部材17の製造コストを抑制できる。
【００５５】
また、上部接合部31内に金属の細片を封入したり、上部接合部31の横方向中央部を合わせて縫着したりして、装着者25の鼻元への広がり部32の密着性をより向上することも可能である。
【００５６】
さらに、上記各実施の形態以外でも、上記の趣旨に適合し得る範囲で適当に変更を加えて実施することも可能である。
【図面の簡単な説明】
【００５７】
【図１】本発明の一実施の形態の立体型マスクの装着状態を示す側面図である。
【図２】同上立体型マスクを示す正面図である。
【図３】同上立体型マスクを示す裏面図である。
【図４】同上立体型マスクを示す側面図である。
【図５】同上立体型マスクの各折り込み片を広げた状態を示す正面図である。
【図６】(a)は同上立体型マスクの図４のＢ−Ｂ断面図、(b)は同上立体型マスクの図１のＡ−Ａ断面図である。
【図７】従来例の立体型マスクを示す正面図である。
【図８】同上立体型マスクの装着状態を示す側面図である。
【符号の説明】
【００５８】
11    立体型マスク
12    マスク本体
13    耳掛け部としての耳掛け用紐
15    表面側部材
16    裏面側部材
17    凸型部材
21    第１折り目部
22    第１折り込み片
23    第２折り目部
24    第２折り込み片
25    装着者
【図１】
2006314642.tif 000003
【図２】
2006314642.tif 000004
【図３】
2006314642.tif 000005
【図４】
2006314642.tif 000006
【図５】
2006314642.tif 000007
【図６】
2006314642.tif 000008
【図７】
2006314642.tif 000009
【図８】
2006314642.tif 000010